(57)【特許請求の範囲】
【請求項１】
建物外から水または温水が供給される給水ヘッダー管が、建物の基礎に設けられた開口部に臨むように前記基礎の外壁に取り付けられたボックス内に収容されるとともに、
建物内の水回り機器に水または温水を供給する複数の分岐管がその一端を前記ボックス内で前記給水ヘッダー管に設けられた複数の分岐口に接続されて前記開口部から建物内に導入される給水配管構造において、
前記給水ヘッダー管は、前記複数の分岐口が給水ヘッダー管の管軸に平行に２列に並び、一方の列の分岐口が他方の列の分岐口に対して給水ヘッダー管の管軸方向にずれた位置で、
その中心軸が他方の列の分岐口の中心軸とＶ字をなすように形成されているとともに、
各分岐口が給水ヘッダー管の管軸を通る水平面より上側で、一方の列と他方の列とが給水ヘッダー管の管軸を通る垂直面を挟んで配置され、
給水ヘッダー管の管軸及び一方の列の各分岐口の中心軸に直交する方向から見た場合に、隣り合う分岐口が重なり合うように各分岐口が配置されていることを特徴とする給水配管構造。
【請求項２】
前記給水ヘッダー管は、６つの平面部を有する略断面六角形の外面形状をした管本体を備え、分岐口が前記平面部から外側に突設されているとともに、隣接する列の分岐口が、他方の列の分岐口に対し前記管本体の軸方向にずれた状態で交互に配設されている請求項１に記載の給水配管構造。
【請求項３】
ヘッダー管支持金具のクランプ部によって給水ヘッダー管がクランプされ、支持金具の脚部がボックス内に設けられた支持レールに、給水ヘッダー管の管軸に平行な方向にスライド自在に支持されている請求項１または請求項２に記載の給水配管構造。
【発明の詳細な説明】
【技術分野】
【０００１】
本発明は、給水配管構造に関する。
【背景技術】
【０００２】
建物外から水道管を介して供給される水道水や建物外に設けられた給湯器から供給される温水を建物内の各機器に給水するために、図１０に示すように、建物の基礎１００に設けられた通気孔となる孔や上部開口の切欠等の開口部１１０を臨むように基礎１００の外壁面にボックス２００を設け、ボックス２００内に給水ヘッダー管３００を設置し、水道水や給湯機から供給される温水をこの給水ヘッダー管３００に供給し、給水ヘッダー管３００の分岐口３１０に接続された架橋ポリエチレン樹脂やポリブテン樹脂製の分岐管４００を開口部１１０を通して建物内に引き込み、浴室、洗面室、トイレ、キッチン等の各水回り機器（図示せず）に接続するようにした給水配管構造が採用されている（特許文献１参照）。
【０００３】
ところで、一般戸建て住宅においては、二世帯住宅等に関わらず、トイレや洗面所など
が各階に設けられるなど、多数の水回り機器が設けられているため、分岐管４００も水回り機器の数だけ必要となる。
一方、上記従来の給水配管構造の場合、給水ヘッダー管３００の分岐口３１０が建物側に向かって管軸方向に水平に並んで設けられているため、上記のように、多数の分岐管４００を接続しなければならないときには、給水ヘッダー管３００を長いものにするか、複数の給水ヘッダー管３００を、高さを異ならせて設けるなどしなければならない。
しかし、給水ヘッダー管３００を長くした場合、基礎１００の開口部１１０も水平方向に長いものにしなければならず、基礎１００の強度にも影響を及ぼす恐れがあるとともに、建物外部に突出して設けられるボックス２００も水平方向に長いものとしなければならず、邪魔になったり、外観上見苦しくなる恐れがある。また、図１０に示すように、複数の給水ヘッダー管３００を、高さを異ならせて設ける場合、ボックス２００を高さ方向に大きなものとしなければならない。
【０００４】
【特許文献１】特開２００１−２０７４９０号公報
【発明の開示】
【発明が解決しようとする課題】
【０００５】
本発明は、上記事情に鑑みて、コンパクトな給水ヘッダー管で、給水ヘッダー管を収納するためのボックスを大きくすることなく、多数の分岐管に分岐配管することができる給水配管構造を提供することを目的としている。
【課題を解決するための手段】
【０００６】
上記目的を達成するために、本発明にかかる給水配管構造は、建物外から水または温水が供給される給水ヘッダー管が、建物の基礎に設けられた開口部に臨むように前記基礎の外壁に取り付けられたボックス内に収容されるとともに、建物内の水回り機器に水または温水を供給する複数の分岐管がその一端を前記ボックス内で前記給水ヘッダー管に設けられた複数の分岐口に接続されて前記開口部から建物内に導入される給水配管構造において、前記給水ヘッダー管は、前記複数の分岐口が給水ヘッダー管の管軸に平行に２列に並び、一方の列の分岐口が他方の列の分岐口に対して給水ヘッダー管の管軸方向にずれた位置で、その中心軸が他方の列の分岐口の中心軸とＶ字をなすように形成されているとともに、各分岐口が給水ヘッダー管の管軸を通る水平面より上側で、一方の列と他方の列とが給水ヘッダー管の管軸を通る垂直面を挟んで配置され、給水ヘッダー管の管軸及び一方の列の各分岐口の中心軸に直交する方向から見た場合に、隣り合う分岐口が重なり合うように各分岐口が配置されていることを特徴としている。
【０００７】
本発明の給水配管構造は、特に限定されないが、例えば、給水ヘッダー管を、６つの平面部を有する略断面六角形の外面形状をした管本体を備え、分岐口が前記平面部から外側に突設されているとともに、隣接する列の分岐口が、他方の列の分岐口に対し前記管本体の軸方向にずれた状態で交互に配設されている構成とすること、また、ヘッダー管支持金具のクランプ部によって給水ヘッダー管がクランプされ、支持金具の脚部がボックス内に設けられた支持レールに、給水ヘッダー管の管軸に平行な方向にスライド自在に支持されている構成とすることが好ましい。
【０００８】
上記分岐管に用いられる管としては、特に限定されないが、たとえば、架橋ポリエチレン樹脂管、ポリエチレン樹脂管、ポリブテン樹脂管、樹脂金属複合管、ポリ塩化ビニル樹脂管、銅管、ステンレス鋼管などを挙げることができ、中でも可撓性、耐熱性および耐久性の観点から、架橋ポリエチレン樹脂管が好適である。
上記継手としては、特に限定されないが、分岐管が架橋ポリエチレン樹脂管やポリブテン樹脂管である場合、たとえば、接続作業性に優れた積水化学工業（株）製の商品名エスロカチット（登録商標）等のワンタッチ継手を用いることができる。
給水ヘッダー管への給水は、水道水等の上水をそのまま、あるいは、上水を給湯器等で加熱して温水状態で行われる。
【発明の効果】
【０００９】
本発明にかかる給水配管構造は、以上のように、分岐口が給水ヘッダー管の管軸に平行に２列に並び、一方の列の分岐口が他方の列の分岐口に対して給水ヘッダー管の管軸方向にずれた位置で、その中心軸が他方の列の分岐口の中心軸とＶ字をなすように形成されているとともに、各分岐口が給水ヘッダー管の管軸を通る水平面より上側で、一方の列と他方の列とが給水ヘッダー管の管軸を通る垂直面を挟んで配置されている構成されているので、給水ヘッダー管の長さが短くても多くの分岐管を接続することができ、コンパクト化が図れる。
したがって、建物外部に突出するように設けられるボックスを小さくすることができるようになる。
【００１０】
また、給水ヘッダー管を、６つの平面部を有する略断面六角形の外面形状をした管本体を備え、分岐口が前記平面部から外側に突設されているとともに、隣接する列の分岐口が、他方の列の分岐口に対し前記管本体の軸方向にずれた状態で交互に配設されている構成とすれば、分岐口を設けるために管本体に穿設する貫通孔と貫通孔との間隔をある程度確保しつつ、隣り合う列に属する分岐口の突設方向の角度差を、６０度程度に、小さくすることができる。
すなわち、隣り合う列の分岐口を管本体の軸方向の同一位置に配置すると、分岐口を設けるために管本体に穿設される貫通孔と貫通孔とが繋がらず、かつ貫通孔と貫通孔との間隔を必要な強度が確保されるだけ広くするには、隣り合う列に属する分岐口の突設方向の角度差を、大きく（たとえば９０度以上に）する必要がある。これに対して、隣り合う列に属する分岐口を管本体の軸方向に交互に配置（２列の場合には千鳥状に配置）すれば、一方の列に属する貫通孔と貫通孔との間に他方の列に属する貫通孔を逃がして穿設することができる。したがって、隣り合う列に属する分岐口の突設方向の角度差を略６０度の小さいものとすることができる。そして、隣り合う列に属する分岐口の角度差を略６０度の小さなものとすることによって、接続される分岐管の左右への広がりが少なくなり、省スペース化できるとともに、２階への給水管となる分岐管も１階への給水管となる分岐管も同一給水ヘッダー管を用いて分岐接続することができるようになり、ボックスをよりコンパクトなものにすることができる。
【００１１】
さらに、ヘッダー管支持金具のクランプ部によって給水ヘッダー管がクランプされ、支持金具の脚部がボックス内に設けられた支持レールに、給水ヘッダー管の管軸に平行な方向にスライド自在に支持されている構成とすれば、ヘッダー管支持金具を支持レールに支持させるとともに、支持レールに沿ってスライドさせてヘッダー管支持金具をボックスの長手方向の自由な位置に配置させることができる。したがって、分岐管の数に応じた口数の給水ヘッダー管を自由に選択することができる。
【発明を実施するための最良の形態】
【００１２】
以下に、本発明を、その実施の形態をあらわす図面を参照しつつ詳しく説明する。
図１〜図４は、本発明にかかる給水配管構造の１つの実施の形態をあらわしている。
【００１３】
この給水配管構造においては、図１〜図３に示すように、建物の基礎１に設けた上部開口の切欠状をした開口部１１を臨むように基礎１の外壁面にボックス２が取り付けられ、このボックス２内に給水ヘッダー管３が収容されている。また、後述する分岐管Ｐ２の傷つき防止およびガイドとなる樹脂製スペーサ１２が開口部１１のボックス側の下端縁に沿って両面粘着テープ等によって基礎１に固定されている
【００１４】
すなわち、ボックス２は、ＡＥＳ（アクリロニトリル ／エチレン‐プロピレン‐ジエン／ スチレン共重合体）樹脂製であって、ボックス本体２aと、蓋２ｂとを備えている。
ボックス本体２aは、底板部２１と、基礎１に固定される後壁部２２と、２つの側壁部２３とを備えている。
【００１５】
底板部２１は、長方形の底板本体２１ａと、底板本体２１ａの前縁に立ち上がる蓋２ｂの固定用ビス孔２１ｂを有する蓋固定部２１ｃと、底板本体２１ａの上面に設けられ、後述するヘッダー管支持金具６を支持する支持レール２４とを備えている。
支持レール２４は、断面直角クランク状をした２つの板材２４ａが、底板本体２１ａとの間に対称かつ平行に固定されることによって形成された２つのガイド溝２４ｂを備えている。
【００１６】
側壁部２３は、図３に示すように、底板本体２１ａの長手方向の端縁から上方に立ち上がる側壁本体２３ａと、蓋受部２３ｂとを備えている。
側壁本体２３ａは、上側のボックス前面側コーナー部が湾曲した形状をしていて、外部から給水ヘッダー管３への給水管（図示せず）の導入孔２３ｃが穿設されている。
【００１７】
導入孔２３ｃは、通常一方しか使用されないので、使用されない側壁部２３側の導入孔２３ｃは図１に示すようにキャップ２３ｄによって封止されるようになっている。
蓋受部２３ｂは、側壁本体２３ａの上部から底板部２１の蓋固定部２２ａに到る部分でボックス２の内側に向かって鍔状に設けられている。
【００１８】
後壁部２２は、図２に示すように、後壁本体２２ａと、係止突条２２ｂとを備えている。
後壁本体２２ａは、底板本体２１ａの後端縁から側壁本体２３ａより上方まで立ち上り、開口部１１を臨む位置に配管挿通孔２２ｃが穿設されている。
係止突条２２ｂは、配管挿通孔２２ｃより上側で後壁本体２２ａとの間に隙間を形成するように設けられている。
【００１９】
蓋２ｂは、側壁本体２３ａの蓋受部２３ｂおよび底板部２１の蓋固定部に沿う断面形状をしていて、後壁部２２側の端縁に沿って係止突条２２ｂが嵌り込む長手方向の両端が開口した係合溝２５が設けられている。
【００２０】
給水ヘッダー管３は、図５及び図６に示すように、管本体３１と、先端にファスナ接続する際に用いる係止フランジ３２ａを有する分岐口となる９個の受口３２とを備えている。
【００２１】
管本体３１は、長手方向に連続する６つの平面部３１ａを有する略断面六角形の外面形状をしていて、管端に後述するファスナ接続する際に用いる係止フランジ３１ｂが設けられており、六角形をした砲金製の連続鋳造管を切断するとともに、切断端部の外周面を削ることによって係止フランジ３１ｂが形成されている。
９個の受口３２のうち、５つの受口３２は、管本体３１の６つの平面部３１ａのうちの１つの平面部３１ａに管本体３１の軸方向に等ピッチで設けられ、残りの４つの受口３２は、この平面部３１ａに隣接する一方の平面部３１ａに等ピッチかつ先の５つの受口３２と軸方向にずれて設けられている。すなわち、給水ヘッダー管３は、一方の列の５つの受口３２と、他方の列の４つの受口３２とが給水ヘッダー管３の管軸方向にずれた位置で、その中心軸が他方の列の受口３２の中心軸と約６０度の角度でＶ字をなすように配置されている。
【００２２】
そして、この受口３２は、図５に示すように管本体３１の受口形成部にまず貫通孔３１ｃを穿設し、係止フランジ３２ａつきの受口形状を備えた筒体の差口３２ｃを貫通孔３１ｃに嵌合するとともに、この嵌合部の周囲を管本体３１の壁面にろう付けすることによって管本体３１に一体化されている。
なお、各受口３２に後述するワンタッチ継手４ａ，４ｂ，４ｃを介して接続される分岐管Ｐ１が隣接する分岐管Ｐ１の配管作業の障害とならないかぎり、受口３２間のピッチを、できるだけ小さくすることが望ましい。
【００２３】
また、給水ヘッダー管３は、受口３２部分を残して保温材９によって覆われている。
そして、一方の平面部３１ａに設けられた４つの受口３２には、９０度エルボ型のワンタッチ継手４ａがそれぞれ接続され、他方の平面部３１ａに設けられた５つの受口３２のうち、３つの受口３２には、片ソケット型ワンタッチ継手４ｂが接続され、残りの端の２つの受口３２には、コック付きの片ソケット型ワンタッチ継手４ｃが接続されている。
【００２４】
すなわち、ワンタッチ継手４ａは、図７に示すように、一端に分岐管Ｐの管端部を挿入することによってジャンパーピン４１ａが離脱して縮径リング４１ｂが縮径することによって挿入された管端部を水密に接続可能になった継手本体部４１を有し、他端に受口３２内に嵌合される差口４２を備え、継手本体部４１の差口４２側の端部には係止フランジ４３が設けられている。
そして、係止フランジ４３が受口３２の係止フランジ３２ａに受けられるまで差口４２を受口３２内に挿入嵌合させたのち、弾性接続金具５を装着することによって給水ヘッダー管３に固定されている。
【００２５】
弾性接続金具５は、図８に示すように、バネ板材を折曲することによって全体として正面より見て略Ω状に形成されたものであり、略半円形状の一対の本体部５１ と、本体部５１ の各一端にそれぞれ連設された一対のガイド部５２ と、一対の本体部５１ の他端間にわたって連設された連結部５３ とを有し、本体部５１および本体部近傍の連結部５３ の一部にかけて係止フランジ３２ａ，４３ を係入するため、係止フランジ３２ａ，４３ を合わせた厚みに対応する幅の係入溝５４ が周方向に形成され、ガイド部５２側を受口３２およびワンタッチ継手４ａの側方から係止フランジ３２ａ、４３に臨ませてして受口３２およびワンタッチ継手４ａの一部が本体部５１内に抱持されるまで押し込むことによって、係入溝５４内に係止フランジ３２ａ，４３が入り込み、係止フランジ３２ａ、４３を係止してワンタッチ継手４ａの離脱を阻止するようになっている。
【００２６】
また、装着された弾性接続金具５は、両側のガイド部５２の先端が離脱防止具８に対向するように設けられた２つの係止爪にそれぞれ係止されることによって離脱するのを防止されている。
ワンタッチ継手４ｂ、４ｃもワンタッチ継手４ａと同様にして受口３２に接続されている。
【００２７】
また、管本体３１の一方の管端には、ワンタッチ継手４ａ〜４ｃより大口径の９０度エルボ型のワンタッチ継手４ｄが他のワンタッチ継手４ａ〜４ｃと同様にして弾性接続金具５を用いてファスナ接続されている。
【００２８】
そして、上記のようにしてワンタッチ継手４ａ〜４ｄおよび保温材９が装着された給水ヘッダー管３は、以下のようにして２つのヘッダー管支持金具６によってボックス２内で支持されている。
すなわち、ヘッダー管支持金具６は、図９に示すように、クランプ部６ａと脚部６ｂとを備えている。クランプ部６ａは、ヒンジ６１を介して連結された分割された上部バンド６２と，下部バンド６３とからなり、図１および図９（ｂ）に示すように、上部バンド６２の開放端部に設けられた係止部６２ａを下部バンド６３に設けられた切欠部（図示せず）に嵌合係止させることによってクランプ状態を保持できるようになっている。
脚部６ｂは、下部バンド６３の受けとなる水平部６４と、この水平部６４の両端からハ字形に斜め下方に延びる脚６５と、この脚６５の先端から外側に水平に伸びるスライド部６６とを備えている。
【００２９】
そして、支持レール２４のガイド溝２４ｂにスライド部６６を挿入し、所定位置まで支持レール２４に沿ってスライドさせるとともに、上部バンド６２を、ヒンジ６１を中心に回動させて、下部バンド６３の上方を開放状態にして、すべての受口３２が斜め上方を向くとともに、管本体３１の中心軸を通る垂直面に対し５つの受口３２が建物側、４つの受口３２が建物外部側に位置するように、保温材９で被覆された給水ヘッダー管３をその所望部分で下部バンド６３に受けさせたのち、上部バンド６２を回転させて、係止部６２ａを下部バンド６３の切欠部に嵌合係止させてしっかりとクランプ部６ａでクランプする。
【００３０】
このようにボックス２内に固定された給水ヘッダー管３には、以下のようにして分岐管Ｐ１，Ｐ２、給水管Ｐ３が接続されている。なお、この実施の形態では、分岐管Ｐ１，Ｐ２は、架橋ポリエチレン樹脂管やポリブテン樹脂管などの管本体の周囲に保護管が外嵌されている。
すなわち、１階の水回り機器（図示せず）に接続される分岐管Ｐ１は、その管端部が建物の床下から開口部１１を介してボックス２内に引き込込まれて、先端部の保護管を取り除いた状態で管本体部分がワンタッチ継手４ａあるいはワンタッチ継手４ｂ内に挿入されることによってワンタッチ継手４ａあるいはワンタッチ継手４ｂにワンタッチ接続される。
【００３１】
２階の水回り機器への給水ヘッダー管（図示せず）の給水口に接続される分岐管Ｐ２は、建物外壁Ｗの内面側に沿って設けられた配管スペースを通して２階側から垂らされ、管端部が開口部１１の上部開口を覆った開口部蓋７に設けられた分岐管挿通用長孔７１および開口部１１を介してボックス２内に引き込まれ、先端部の保護管を取り除いた状態で管本体部分がワンタッチ継手４ｄ内に挿入されることによってワンタッチ継手４ｄに接続される。
また、２階の水回り機器へ直接接続される分岐管Ｐ２は、建物外壁Ｗの内面側に沿って設けられた配管スペースを通して２階側から垂らされ、管端部が開口部１１の上部開口を覆った開口部蓋７に設けられた分岐管挿通用長孔７１および開口部１１を介してボックス２内に引き込まれ、先端部の保護管を取り除いた状態で管本体部分がワンタッチ継手４ｃ内に挿入されることによってワンタッチ継手４ｃに接続される。
【００３２】
水道本管や給湯器等からの給水管Ｐ３は、ボックス２の側壁部２２に設けられた配管挿通孔２２ｃからボックス本体２ａ内に引き込まれ、給水ヘッダー管３の管本体３１の一端（ワンタッチ継手４ｄが接続されていない側）にファスナ接続される。
【００３３】
そして、このように給水管Ｐ３および分岐管Ｐ１，Ｐ２が給水ヘッダー管３に接続されたのち、つぎのようにして蓋２ｂがボックス本体２ａに取り付けられる。
すなわち、蓋２ｂがボックス本体２ａの開口部を完全に塞ぐまで蓋２ｂの係合溝２５を係止突条２２ｂの一方の側壁部２３側から係止突条２２ｂにスライド嵌合させ、蓋２ｂの下端部を、ビスＢをボックス本体２ａの固定用ビス孔２１ｂにねじ込むことによって固定する。
【００３４】
上記給水配管構造によれば、短い給水ヘッダー管３で多くの分岐管Ｐ１，Ｐ２に分岐することができ、多数の分岐管Ｐ１，Ｐ２に分岐する場合にも嵩張らない小さなボックス２で済むようになる。
しかも、ヘッダー管支持金具６を支持レール２４にスライド自在に支持するようにしたので、ヘッダー管支持金具６の固定位置が自由に選べ、結果として分岐管Ｐ１，Ｐ２の数に応じた口数の長さの異なる給水ヘッダー管３を自由に選択することができる。
【００３５】
また、樹脂製スペーサ１２を開口部１１のボックス側の下端縁に沿って両面粘着テープ等によって固定するようにしたので、２階から垂らした分岐管Ｐ２の管端部が基礎１のコンクリート面に直接触れることなく、約４５度の角度でスムーズにボックス２内に入り込む。したがって、一人作業で分岐管Ｐ２を傷めることなくワンタッチ継手４ｃ，４ｄに接続できる。
【００３６】
本発明の給水配管構造は、上記の実施の形態に限定されない。たとえば、上記の実施の形態では、継手と給水ヘッダー管のノズルとの接続がファスナ式であったが、ねじ式でも構わない。
上記の実施の形態では、分岐口が等ピッチに設けられていたが、必要に応じてピッチを代えても構わない。
【００３７】
上記の実施の形態では、分岐口が９個であったが、管軸方向に隣接する分岐口が管周方向に位置がずれて所謂千鳥状に配置されていれば、その個数は特に限定されず、また、偶数個設けるようにしても構わない。
上記の実施の形態では、ボックス内に水道水用の給水ヘッダー管のみ収容されていたが、給湯器からの温水用給水ヘッダー管も同じボックス内に収容するようにしても構わない。
【００３８】
上記の実施の形態では、給水ヘッダー管が保温材によって被覆されていたが、凍結の心配のない温暖地であれば、保温材はなくても構わない。
上記の実施の形態では、全ての受口にワンタッチ継手を介して分岐管が接続されていたが、接続される分岐管が少ない場合は、使用されない受口をファスナ接続式キャップで閉鎖しておいても構わない。
【図面の簡単な説明】
【００３９】
【図１】本発明にかかる給水配管構造の１例であって、そのボックス部分の水平方向の断面図である。
【図２】図１の給水配管構造のボックス部分の垂直方向の断面図である。
【図３】図１の給水配管構造のボックスの蓋開放状態の斜視図である。
【図４】図１の給水配管構造のボックスを閉じた状態の斜視図である。
【図５】給水ヘッダー管の一部切欠断面正面図である。
【図６】図５の給水ヘッダー管の側面図である。
【図７】９０度エルボ型ワンタッチ継手の半断面図である。
【図８】弾性接続金具の斜視図である。
【図９】ヘッダー管支持金具であって、同図（ａ）が開放状態の正面図、同図（ｂ）がクランプ状態の正面図である。
【図１０】従来の給水配管構造のボックス部分の断面図である。
【符号の説明】
【００４０】
１  基礎
１１  開口部
２  ボックス
２４  支持レール
３  給水ヘッダー管
３１  管本体
３１ａ  平面部
３２  受口（分岐口）
４ａ，４ｂ，４ｃ，４ｄ  ワンタッチ継手
６  ヘッダー管支持金具
６ａ  クランプ部
６ｂ  脚部
Ｐ１，Ｐ２  分岐管
【図１】
0005352126.tif 000002
【図２】
0005352126.tif 000003
【図３】
0005352126.tif 000004
【図４】
0005352126.tif 000005
【図５】
0005352126.tif 000006
【図６】
0005352126.tif 000007
【図７】
0005352126.tif 000008
【図８】
0005352126.tif 000009
【図９】
0005352126.tif 000010
【図１０】
0005352126.tif 000011